(57)【特許請求の範囲】
【請求項１】
播種ユニット（４）に設けられている播種装置（８）と、前記播種装置（８）で播種された苗箱（５）を棚枠に棚積みする棚積み装置（１０）と、棚積みされた棚枠を収容可能な発芽室（２）と、前記発芽室（２）から搬送された棚枠の苗箱（５）を育苗ベンチ（１５）上に平板状に載置する載替え装置（１３）と、苗箱（５）の載置された育苗ベンチ（１５）を収容して育苗する育苗室（３）とからなり、棚積み装置（１０）を起点として発芽室（２）を通る磁気による発芽室誘導路（１２ａ）と、発芽室（２）から載替え装置（１３）まで伸びる磁気による育苗室誘導路（１２ｂ）を備える循環誘導路（１２）を設けると共に、載替え装置（１３）から育苗室（３）内へ又は育苗室（３）内で育苗ベンチ（１５）を移動させる移動車（２４）を設け、該移動車（２４）は、前後左右に設けたキャスタ（２６）と、回動するアーム（２７）に取り付けた車輪（２６）と、レール（３０）を備え、アーム（２７）を起立状態に回動すると車輪（２６）が育苗ベンチ（１５）を持ち上げ支持する構成とし、育苗ベンチ（１５）を載置するベンチ架台（３２）を設け、該ベンチ架台（３２）は、左右一対のレール（３５）と該レール（３５）に伸縮調節可能に設けた伸縮レール（３９）を備え、該伸縮レール（３９）を通路まで伸ばして移動車（２４）からの育苗ベンチ（１５）の載替えが行える構成とした育苗施設。
【発明の詳細な説明】
【０００１】
【発明の属する技術分野】
この発明は、育苗施設の改良に関するものである。
【０００２】
【従来技術】
従来の育苗施設は、播種ユニットに設けられている播種装置で苗箱に播種し、播種装置で播種された苗箱を発芽用棚枠に間隔を狭くして棚積みして発芽室で発芽させ、次いで、発芽用棚枠に棚積みした苗箱を育苗用棚枠に移し替えて間隔を広げて棚積みし、育苗用棚枠に棚積みされた苗箱を育苗室で育苗するものである。
【０００３】
【発明が解決しようとする問題点】
従来装置では、播種された苗箱を発芽用棚枠に間隔を狭く棚積みして発芽室で発芽させ、次いで、発芽用棚枠に棚積みした苗箱を育苗用棚枠に移し替えて間隔を広げて再度棚積みするので、その棚枠への積替えに手間を用し装置が複雑となり、また、育苗室では育苗用棚枠に棚積みしている苗箱を取り扱うので、苗箱の枚数も多く重量も大きくなり取り扱いが不便であった。
【０００４】
そこで、この発明は、施設の平面スペースを小さくしながら、育苗室での苗箱の取り扱い枚数を少なくしてその取り扱いを容易にし、前記のような不具合を解消しようとするものである。
【０００５】
【問題を解決するための手段】
請求項１の発明は、播種ユニット（４）に設けられている播種装置（８）と、前記播種装置（８）で播種された苗箱（５）を棚枠に棚積みする棚積み装置（１０）と、棚積みされた棚枠を収容可能な発芽室（２）と、前記発芽室（２）から搬送された棚枠の苗箱（５）を育苗ベンチ（１５）上に平板状に載置する載替え装置（１３）と、苗箱（５）の載置された育苗ベンチ（１５）を収容して育苗する育苗室（３）とからなり、棚積み装置（１０）を起点として発芽室（２）を通る磁気による発芽室誘導路（１２ａ）と、発芽室（２）から載替え装置（１３）まで伸びる磁気による育苗室誘導路（１２ｂ）を備える循環誘導路（１２）を設けると共に、載替え装置（１３）から育苗室（３）内へ又は育苗室（３）内で育苗ベンチ（１５）を移動させる移動車（２４）を設け、該移動車（２４）は、前後左右に設けたキャスタ（２６）と、回動するアーム（２７）に取り付けた車輪（２６）と、レール（３０）を備え、アーム（２７）を起立状態に回動すると車輪（２６）が育苗ベンチ（１５）を持ち上げ支持する構成とし、育苗ベンチ（１５）を載置するベンチ架台（３２）を設け、該ベンチ架台（３２）は、左右一対のレール（３５）と該レール（３５）に伸縮調節可能に設けた伸縮レール（３９）を備え、該伸縮レール（３９）を通路まで伸ばして移動車（２４）からの育苗ベンチ（１５）の載替えが行える構成とした育苗施設とする。
【０００６】
【発明の作用及び効果】
この発明は、播種ユニット４の播種装置８により播種した苗箱５を、棚積み装置１０により棚積みし棚積み状態で発芽室２に収容するので、施設の平面スペースを小さくでき、また、育苗段階では苗箱５を育苗ベンチ１５上に平板状に載替えて取り扱うので、重量も軽くその取り扱いが容易となる。そして、移動車２４により育苗ベンチ１５を容易に移動させることができ、また、移動車２４からの育苗ベンチ１５の載替えが容易になる。
【０００７】
【発明の実施の形態】
以下、図面に示すこの発明の実施例の形態について説明する。
育苗施設の建家は、図１に示すように、播種室１、７ブロックに区分されている発芽室２、及び、育苗室３により構成されている。播種室１内には２台の播種ユニット４，４が設置されている。播種ユニット４の播種コンベヤ６には、中二階に保管されている苗箱５が苗箱コンベヤ（図示省略）により１枚ずつ供給される構成である。
【０００８】
なお、播種コンベヤ６に苗箱を供給するにあたり、苗箱コンベヤと播種コンベヤ６との間に、播種コンベヤ６よりも搬送速度の速い中間搬送コンベヤを設けて苗箱の供給を迅速化し、播種コンベヤ６において前後の苗箱が連続状態で搬送されるように構成し、中間搬送コンベヤの搬送速度を増減調節できる構成としてもよい。このようにすると、水稲播種ラインから野菜播種ラインに変更して使用する場合に、中間搬送コンベヤの搬送速度を減速調節することにより、中間搬送コンベヤの搬送苗箱にポットシートを正確に嵌め込むことができる。
【０００９】
播種ユニット４は、播種コンベヤ６の始端側から終端側にかけて、土詰め装置７、播種装置８、覆土装置９が順次配置されていて、播種コンベヤ６での搬送中に苗箱５に床土を詰め、その床土上に種籾を散播し、この上に覆土する構成である。
【００１０】
播種コンベヤ６の終端部上方には、棚積み装置１０が設けられている。棚積み装置１０では、播種コンベヤ６の終端部に搬送された苗箱を持ち上げ爪で上昇させる間に灌水し、次いで、送り装置で終端側の所定位置に搬送し、次いで、苗箱を押出装置により搬送方向と直交する横方向に押出し、運搬車１４の棚枠を昇降ホークにより順次下降させながら苗箱を棚枠に順次積み込んでいく。
【００１１】
発芽室２は、播種室１の隣に例えば７ブロックに区分して構成されていて、夫れ夫れの発芽室２のブロックには、棚枠に棚積みされた棚積み苗箱群を載せる多数の架台１１，…が通路を除く略全面にわたって配置されていて、この架台１１，…の上面はローラーコンベヤにより構成されている。
【００１２】
播種室１、発芽室２、育苗室３にわたって磁気による誘導路１２が循環するように設けられている。誘導路１２は、播種室１の棚積み装置１０，１０を起点として各発芽室２，…の中間部を通る発芽室誘導路１２ａと、発芽室２から育苗室３の載替え装置１３まで伸びる育苗室誘導路１２ｂにより構成されている。
【００１３】
棚積み苗箱群を運ぶ運搬車１４は、例えば、図２に示すように、次のように構成されている。車台上にはモータにより正逆駆動されるローラーコンベヤ１４ａと、このローラーコンベヤ１４ａを昇降させる昇降装置が設けられている。また、駆動操舵ユニットが車体の下部に設けられていて、センサからの入力と設定プログラムに従って駆動操舵ユニットとローラーコンベヤ１４ａが次のように作動する。
【００１４】
即ち、運搬車１４が棚積み装置１０の側方で停止すると、棚積み装置１０の押出装置により苗箱を横方向に押出し、運搬車１４のローラーコンベヤ１４ａを順次下降させながら棚枠に苗箱を棚積みする。苗箱の棚積みが終了すると、運搬車１４は発進して誘導路１２に沿って進み、発芽室２の１番目のブロックに入り、通路に面している架台１１ｄの側方で停止する。次いで、ローラーコンベヤ１４ａを駆動して棚積み苗箱群を架台１１ｄに載せ替え、次いで、例えば人力により棚積み苗箱群を隣接する架台１１ｃ，１１ｂを経て通路の奥の架台１１ａに移動する。次の運搬車１４で運ばれてきた棚積み苗箱群を同様にして架台１１ｂに載替え、同様にして架台１１ｃ，１１ｄに載替え、全ての架台１１に棚積み苗箱群を載替える。
【００１５】
棚積み苗箱群が発芽室２，…内で２５℃前後に加温されて３日が経過すると、夫れ夫れの苗箱５，…の種籾が発芽する。種籾が発芽した前記棚積み苗箱群は、架台１１から運搬車１４に載替えて、べた載替え装置１３に接続している載替えコンベヤ１６まで搬送される。
【００１６】
次に、べた載替え装置１３について説明する。べた載替え装置１３は、棚枠に棚積みされた苗箱を育苗ベンチ１５上に複数枚ずつ平面状に載替えるもので、例えば、次のように構成されている。載替えコンベヤ１６の一側にベンチ載置台１７を設け、載替えコンベヤ１６の搬送終端側及びベンチ載置台１７の送り出し側に、これらの搬送・送り出し方向に対して直交する方向に搬送するベンチ搬送レール１８を設けている。前記育苗室３の一側には、ベンチ搬送レール１８の搬送終端部に直交するようにベンチ分配搬送レール１９を配置し、育苗室３内にはベンチ分配搬送レール１９に直交する複数のベンチ最終搬送レール２０，…を配置し、その一端をベンチ分配搬送レール１９に対向配置し、育苗室３内に苗箱の載置されたベンチを搬送する構成としている。
【００１７】
しかして、ベンチ載置台１７に棚積みされている育苗ベンチ１５をベンチ搬送レール１８の始端部に送り出し、次いで、育苗ベンチ１５を載替えコンベヤ１６の終端側に送る。運搬車１４が載替えコンベヤ１６の始端部側方まで移動すると停止し、棚枠に棚積みされている苗箱を一段ずつ載替えられて終端部に搬送される。終端側に搬送された苗箱５は、例えば、人手により、左右方向２枚、前後方向３組の合計６枚が育苗ベンチ１５に載替えられてべた苗箱ブロックを形成する。
【００１８】
苗箱５，…の載替えられた育苗ベンチ１５は、ベンチ搬送レール１８により育苗室３側に搬送され、次いで、ベンチ分配搬送レール１９、ベンチ最終搬送レール２０，…に載替えられて育苗位置まで搬送される。
また、載替えコンベヤ１６から育苗ベンチ１５への苗箱５，…の載替えを、例えば、図３に示すように自動的に行なうようにしてもよい。苗箱搬送車２１に緑化台車２２を載せ、緑化台車２２には、例えば、平面視で左右２枚前後２組の合計４枚の苗箱３，３，…を一段として複数段に棚積みする。苗箱搬送車２１には緑化台車２２に棚積みしている苗箱を、最下段の苗箱除く２段目以上の苗箱を苗箱昇降装置により持ち上げ、最下段の苗箱を押出装置２３，２３及びストッパを作動しながら押出し、載替えコンベヤ１６に載替える。このようにして、緑化台車１８の棚積み苗箱５，…を載替えコンベヤ１６に例えば左右３枚、前後２組の合計６枚の苗箱を平面状に載替え、苗箱センサが６枚の苗箱の載替えを検出すると、ストッパを退避作動させて載替えコンベヤ１６で苗箱を搬送し、６枚の苗箱を育苗ベンチ１５上に順次載替える。このようにして一回目の６枚の苗箱５，…の載替えが終わると、育苗ベンチ１５を所定距離送り、二回目の６枚の苗箱５，…を載替え、合計１２枚の苗箱を育苗ベンチ１５に載替える。
【００１９】
次に、図４に基づき、Ｘ方向及びＹ方向に育苗ベンチ１５を容易に移動させることのできる移動車２４について説明する。
走行フレーム２５前後における左右両端部にキャスタ２６，…を設け、走行フレーム２５の前後両端部には、Ｘ方向車輪２６の取り付けられている前・後アーム２７，２７を夫れ夫れ前後方向に回動自在に軸支し、前・後アーム２７，２７の下端部をロッド２８で連結し、切替レバー２９によりロッド２８を介して前・後アーム２７，２７を起立状態としたり倒伏状態に回動できる構成である。また、走行フレーム２５上面の前後両端部には、左右方向のＹ方向レール３０，３０が設けられ、また、育苗ベンチ１５下面の前後所定位置には、Ｙ方向転輪３１，３１が夫れ夫れ一対設けられている。
【００２０】
しかして、切替レバー２９で前・後アーム２７，２７を起立状態に回動すると、前・後アーム２７，２７に取り付けられているＸ方向車輪２６，…により、上方に載置されている育苗ベンチ１５を持ち上げ支持し、育苗ベンチ１５をＸ方向（図の左右方向）に楽に移動できる。また、前・後アーム２７，２７を倒伏状態に回動すると、育苗ベンチ１５が下降して、育苗ベンチ１５側のＹ方向転輪３１，…がＹ方向レール３０，３０に乗り、育苗ベンチ１５をＹ方向（図（１）の上下方向）に楽に移動させることができる。
【００２１】
従って、積替えコンベヤ１６の終端側に育苗ベンチ１５を載置した移動車２４を停止し、移動車２４の育苗ベンチ１５に苗箱を載替え、移動車２４を育苗室３のベンチ最終搬送レール２０，…の始端部まで移動し、Ｘ方向車輪２６，…により育苗ベンチ１５を持ち上げ、育苗ベンチ１５をＸ方向に移動調節して、Ｙ方向レール３０，３０とベンチ最終搬送レール２０，２０とを合わせ、育苗ベンチ１５側のＹ方向転輪３１，…をＹ方向レール３０、３０からベンチ最終搬送レール２０，２０へ引継ぎ移動することにより、育苗ベンチ１５を育苗位置まで迅速に搬送することができる。
【００２２】
次に、図５に基づき育苗ベンチ１５を載置するベンチ架台３２の他の実施例について説明する。
ベンチ架台３２は、地面等の基礎面に所定間隔を置いて対向して立設した支柱３３，３３と、この支柱３３，３３の上部に架け渡した梁３４，３４と、この梁３４，３４上面に左右一対のパイプ状のレール３５，３５により構成している。首振り自在の転輪３６の取り付けられている支持棒３７，３７の上端部に、軸受３８を介して伸縮レール３９の外端部を支持し、この伸縮レール３９の内端部を前記レール３５，３５に伸縮調節可能に嵌合している。
【００２３】
しかして、ベンチ架台３２に育苗ベンチ１５，…を載替えする場合には、伸縮レール３９を伸長して通路まで伸ばし、通路を有効活用しながら移動車２４からの育苗ベンチ１５の載替えを容易にしたり、また、隣接するベンチ架台３２相互間の育苗ベンチ１５の載替えを容易にしている。尚、隣接するベンチ架台３２のレ−ル３５，３９の間隔を育苗ベンチ１５の長手方向の長さより狭くすることによって、育苗ベンチ１５を必ず隣接するベンチ架台３２のどちらかのレ−ル３５，３９に載せられるので、隣接するベンチ架台３２相互間の育苗ベンチ１５の載替えが容易になる。
【図面の簡単な説明】
【図１】  全体の平面図である。
【図２】  要部の側面図である。
【図３】  要部の平面図である。
【図４】  要部の平面図、側面図、正面図である。
【図５】  要部の正面図、平面図、側面図である。
【符号の説明】
１    播種室
２    発芽室
３    育苗室
４    播種ユニット
５    苗箱
８    播種装置
１０    棚積み装置
１５    育苗ベンチ
１３    載替え装置
【図１】
0004770068.tif 000002
【図２】
0004770068.tif 000003
【図３】
0004770068.tif 000004
【図４】
0004770068.tif 000005
【図５】
0004770068.tif 000006